(57)【要約】【課題】  サーバと端末との通信をＲＤＰ／ＩＣＡプロトコルを用いて単純化することで低帯域において監理プログラムを起動できると共に、サーバ内での処理を作業領域を作成して行うことでセキュリティを担保した画像表示およびセキュリティを担保した入力判定システムを提供する。【解決手段】  サーバが、認証手段と、コンテンツデータベースと、登録情報データベースと、作業領域作成手段と、エミュレート画像情報作成手段と、サーバ側送受信手段とを含み、前記端末が、端末側送受信手段と、入力手段と、エミュレート画像情報表示手段とを含み、前記サーバがさらに、登録情報記憶手段とを含み、前記端末と前記サーバとの通信にＲＤＰ／ＩＣＡプロトコルを利用して、前記端末のマックアドレス及び前記端末の前記入力手段から入力された、キーストロークと、マウス動作情報と、前記エミュレート画像情報とのみが送受信される。【選択図】    図１
2006301694.tif 000002
【特許請求の範囲】
【請求項１】
複数の端末と、前記複数の端末が電子通信回線を介してサーバと接続された画像表示を利用した入力判定システムにおいて、
前記サーバが、
前記端末の接続を認証する認証手段と、
前記端末へ送信するコンテンツの画像を画像情報として記憶しているコンテンツデータベースと、
前記端末ごとに前記コンテンツに登録された登録情報を記憶している登録情報データベースと、
認証された前記端末の作業領域をメモリまたはハードディスク上に作成する作業領域作成手段と、
前記作業領域内において認証された前記端末に対して送信するコンテンツ画像と前記コンテンツ画像に該当する前記端末の前記登録情報の表示とを融合させてエミュレート画像情報を作成するエミュレート画像情報作成手段と、
前記端末とのデータの送受信を行うサーバ側送受信手段と、
を含み、
前記端末が、
前記サーバとデータの送受信を行う端末側送受信手段と、
前記端末への入力を受け付ける入力手段と、
前記エミュレート画像情報を表示するエミュレート画像情報表示手段とを含み、
前記サーバがさらに、
前記端末から入力された入力情報を新規登録情報として前記登録情報データベースに記憶する登録情報記憶手段とを含み、
前記端末と前記サーバとの通信にＲＤＰ／ＩＣＡプロトコルを利用して、前記端末のマックアドレス及び前記端末の前記入力手段から入力された、キーストロークと、マウス動作情報と、前記エミュレート画像情報とのみが送受信されることを特徴とする画像表示およびセキュリティを担保した入力判定システム。
【請求項２】
前記送受信に、さらにタッチパネル操作入力情報、バーコードの読取によるバーコード情報及びカードリーダの読取によるカード情報を含む請求項１に記載の画像表示およびセキュリティを担保した入力判定システム。
【発明の詳細な説明】
【技術分野】
【０００１】
本発明は、画像表示およびセキュリティを担保した入力判定システムに関し、特に端末とサーバとの間の送受信をＲＤＰ／ＩＣＡプロトコルを利用すると共に、作業領域を利用する画像表示およびセキュリティを担保する入力判定システムに関する。
【背景技術】
【０００２】
従来、店舗等における個人管理、売上管理を行うシステムにおいては、図１のように各店舗ごと及び本社にそれぞれサーバを用意し、ＷＡＮ（Ｗｉｄｅ  Ａｒｅａ  Ｎｅｔｗｏｒｋ）等の大規模回線を利用して管理を行う端末を接続していた。各端末にはＯＳの他に、管理を行うための管理プログラム自体をハードディスク等の記憶媒体に記憶し、利用時にはこの管理プログラムをそれぞれの端末においてハードディスク等からメモリ上に読み出して利用していた。入力された情報はこの端末が所属するサーバに対して送信されて、集中管理されていた。図１５に従来のシステムを示す。
【０００３】
このシステムの場合、管理ソフトのバージョンアップを行う時に各端末の管理ソフトをそれぞれバージョンアップする必要が生じる。また、セキュリティにおいても、各端末のハードディスクに個人情報が残っているため端末の廃棄時等にはその扱いに留意する必要があった。さらには、各端末とサーバとの間で送受信するそれぞれの情報は膨大な量にのぼり、広帯域に対応したＷＡＮ等の回線を用意する必要があった。
【０００４】
この問題を解決するＰＯＳシステムが[特許文献１]に記載されている。
【０００５】
特許文献１では、ホスト側のみに実行プログラムを搭載し、ＰＯＳ端末にはＰＯＳシステムの実行プログラムを格納せずに、端末からの位置情報と文字情報のみの転送とサーバからの表示情報のみの転送とで実現している。さらに回線を通過するデータ量の削減及び圧縮は、画像データをフレーム単位として、元フレームと一つ前のフレーム転送情報とを比較して、変化のあった情報だけを圧縮することで実現している。
【特許文献１】特開２００１−２２２４８２
【発明の開示】
【発明が解決しようとする課題】
【０００６】
上述した従来の方法から[特許文献１]の方法を行うことで各端末や、各サーバに分散されていたリスクについてはホスト側に集約されることとなった。これにより、障害時の復旧等のリスク、初期投資やサーバ運用のコストについても解決が図られている。
【０００７】
しかしながら、ホスト側における各端末の画像データの処理は一括して行われており、画像処理によるターミナルサービスが行われているのみである。この場合、各端末用の作業領域が確保されていないために各端末に対する作業データのバッティングという不都合が生じる。ホストに接続される端末数はかなり多いため、作業領域の確保ができない場合には最悪処理速度の低下やデータの混在が起きる危険性がある。
【０００８】
さらに、このシステムにおいて利用できるのはハードディスクを有する端末であれば良く、作業領域が確実に確保されない場合、ＯＳを有する端末ではサーバのハードディスク内の閲覧が出来てしまうことがある。
【０００９】
また、各端末に対して同様のソフトウェアを提供する場合には問題ないが、各端末や端末群毎にそれぞれ制限されたソフトウェアを提供する場合には作業領域を作成しないと安定性が落ちる等の問題がある。
【００１０】
本発明は上記事情に鑑み、本発明の目的は、サーバと端末との通信をＲＤＰ／ＩＣＡプロトコルを用いて単純化することで低帯域において監理プログラムを起動できると共に、サーバ内での処理を作業領域を作成して行うことでセキュリティを担保した画像表示およびセキュリティを担保した入力判定システムを提供する。
【課題を解決するための手段】
【００１１】
本発明は、画像表示およびセキュリティを担保した入力判定システムに関し、特に端末とサーバとの間の送受信をＲＤＰ／ＩＣＡプロトコルを利用すると共に、作業領域を利用する画像表示およびセキュリティを担保する入力判定システムに関し、本発明の上記目的は、複数の端末と、前記複数の端末が電子通信回線を介してサーバと接続された画像表示およびセキュリティを担保した入力判定システムにおいて、前記サーバが、前記端末の接続を認証する認証手段と、前記端末へ送信する前記端末に選択されたコンテンツの画像を画像情報として記憶しているコンテンツデータベースと、前記端末ごとに前記コンテンツに登録された登録情報を記憶している登録情報データベースと、認証された前記端末の作業領域をメモリまたはハードディスク上に作成する作業領域作成手段と、前記作業領域内において認証された前記端末に対して送信するコンテンツ画像と前記コンテンツ画像に該当する前記端末の前記登録情報の表示とを融合させてエミュレート画像情報を作成するエミュレート画像情報作成手段と、前記端末とのデータの送受信を行うサーバ側送受信手段と、を含み、前記端末が、前記サーバとデータの送受信を行う端末側送受信手段と、前記端末への入力を受け付ける入力手段と、前記エミュレート画像情報を表示するエミュレート画像情報表示手段とを含み、前記サーバがさらに、前記端末から入力された入力情報を新規登録情報として前記登録情報データベースに記憶する登録情報記憶手段とを含み、前記端末と前記サーバとの通信にＲＤＰ／ＩＣＡプロトコルを利用して、前記端末のマックアドレス及び前記端末の前記入力手段から入力された、キーストロークと、マウス動作情報と、前記エミュレート画像情報とのみが送受信されることによって、達成される。
【００１２】
さらに、本発明の上記目的は、前記送受信に、さらにタッチパネル操作入力情報、バーコードの読取によるバーコード情報及びカードリーダの読取によるカード情報を含むことによって、より効果的に達成される。
【発明の効果】
【００１３】
本発明は、サーバ内に管理ソフトウェア及び各端末用に作業領域を設け、ＲＤＰ／ＩＣＡプロトコルを利用して作業領域をサーバ上に確保することにより、より安定した管理ソフトウェアの提供を実現している。
【００１４】
各端末の作業領域をサーバ内に確保することにより、各端末に提供するソフトウェアの制限を容易に設定することができ、さらには作業自体の安定化を実現することができる。
【００１５】
さらには、セキュリティにおいてもサーバのハードディスクを防御することに繋がり、従来のシステムに比べて向上させることができる。
【００１６】
図１２にその導入によるＴＣＯの低減効果についてを示す。
【発明を実施するための最良の形態】
【００１７】
本発明は、画像表示およびセキュリティを担保した入力判定システムに関し、特に端末とサーバとの間の送受信をＲＤＰ／ＩＣＡプロトコルを利用すると共に、作業領域を利用する画像表示およびセキュリティを担保する入力判定システムである。
【００１８】
以下、図面を用いて説明する。
【００１９】
図１は本システムの全体構成図である。
【００２０】
本システムは、各拠点（店舗）に設置された複数の端末１１…１ｎと、ネットワーク（電子通信回線）を介して接続されたサーバ２とから構成されている。
各端末１１…１ｎとサーバ２との通信は、ＲＤＰ／ＩＣＡプロトコルを利用して行われる。ＲＤＰプロトコルは後述するエミュレート画像をサーバ２から端末１１…１ｎに送信し、ＩＣＡプロトコルはキーストローク、マウス動作、タッチパネルへの入力等を端末１１…１ｎからサーバ２へと送信する。
【００２１】
図２、図３、図４、図５、図６及び図７に、より複数の事例を含む全体構成図を示す。
【００２２】
図８は端末の内部構成図である。
【００２３】
端末１１…１ｎは、サーバ２から送信される後述するエミュレート画像を表示するエミュレート画像表示手段１１と、端末１１…１ｎへの入力を行うための入力手段１２と、サーバ２とのデータの送受信を行うための端末側送受信手段１３とを備える。
【００２４】
サーバ２から提供されるデータはエミュレート画像のみであるので、端末１１…１ｎの内部は、最低限エミュレート画像を表示するための揮発性メモリとＣＰＵで構成されていれば良い。もちろん、通常の端末であるハードディスクを備えた端末であっても問題ないが、この場合であってもサーバ２から実行プログラム等の実働プログラムは提供されない。
【００２５】
サーバ２に送信される情報は、ＩＣＡプロトコルが利用される。このため、入力手段１２はキーボード、マウス、タッチパネル、カードリーダ、バーコードリーダ等が考えられ、キーストローク、マウス位置（ドラッグを含む）、タッチパネルによる押圧位置（ドラッグを含む）、カード番号、バーコード番号等が入力情報としてサーバ２へと送信される。
【００２６】
図９はサーバ２の内部構成図である。
【００２７】
サーバ２は、端末１１…１ｎのそれぞれを認証するための認証手段と、本システムを利用するための実行プログラムであるコンテンツを記憶したコンテンツデータベース２２と、既に端末１１…１ｎから入力、登録された情報が記憶されている登録情報データベース２３と、コンテンツ画面と登録情報とを融合してエミュレート画像を作成するエミュレート画像作成手段２４と、サーバ２に現に接続されている端末１１…１ｎのサーバ２内での作業領域を確保する作業領域作成手段２５と、端末１１…１ｎから送信された入力情報を登録情報として登録情報データベース２３へと記憶する登録情報記憶手段２６と、各端末１１…１ｎとデータの送受信を行うサーバ側送受信手段２７とから構成されている。
【００２８】
サーバ２はハードディスク上にコンテンツデータベース２２及び登録情報データベース２３を有し、さらに各端末１１…１ｎへのエミュレート画像を作成するための各端末１１…１ｎ毎に仕切られた作業領域が揮発性メモリまたはハードディスク上に作成される。このため、端末数によっては相当数の容量を有する揮発性メモリやハードディスクが備えられている必要がある。
【００２９】
端末１１…１ｎ側へ送信される情報はエミュレート画像情報であり、ＲＤＰプロトコルが利用される。なお、上記ＩＣＡプロトコルと併せて送受信されるデータ容量は小さく、１端末辺り４から６ｋｂｐｓの低帯域で済む。このため、一般の電話回線であっても十分に動作する。
【００３０】
また、作業領域を区切ることにより提供するコンテンツをサーバ２側で設定することが可能となっており、それ以外の領域への端末１１…１ｎ側からのアクセス等を防止している。
【００３１】
これら構成を利用した本システムの流れを、以下にフローチャートを利用して説明する。
【００３２】
図１０は本システムの流れを示すフローチャートである。
【００３３】
端末１１…１ｎは、サーバ２との接続を行うために認証を行う必要がある。認証は、端末１１…１ｎからサーバ２側へ接続要求が自動的に送信され、認証手段２１が画像情報として認証画面を返す。これに対し、端末１１…１ｎ側は予め発行されたＩＤ、パスワード等が入力手段１２より入力されてサーバ２側で認証が行われる（ステップＳ１０１、Ｓ１０２）。認証は、認証データベース（図示しない）に予め記憶されたＩＤ、パスワードを利用して行われる。なお、端末１１…１ｎ側のマックアドレスを利用して自動的に認証することも可能である。
【００３４】
認証が正しかった場合には（ステップＳ１０３）、サーバ２において、端末１１…１ｎの作業領域がメモリ又はハードディスク上に作成される。（ステップＳ１０４）。
【００３５】
エミュレート画像作成手段２４では、端末１１…１ｎに送信するエミュレート画像を作成するために、各端末１１…１ｎに割り振られた作業領域においてコンテンツデータベース２２及び登録情報データベース２３からデータを読み込む。読み込まれたデータを利用してエミュレート画像が作成される（ステップＳ１０５）。
【００３６】
作成された画像は該当する端末１１…１ｎに対してＲＤＰプロトコルを利用して送信され（ステップＳ１０６）、あたかも端末１１…１ｎ側で管理ソフトウェアが起動しているように見える（ステップＳ１０７）。
【００３７】
端末１１…１ｎ側では、エミュレート画像表示手段１１に表示されたエミュレート画像に基づいて入力情報が入力手段より入力され（ステップＳ１０８）、サーバ２側にＩＣＡプロトコルを利用してキーストローク、マウス移動の情報のみが送信される。
【００３８】
登録情報記憶手段２６では、送信された入力情報に基づいて登録情報データベース２３にこの入力情報を登録情報として記憶する（ステップＳ１０９）と共に、終了しない場合（ステップＳ１１０  ＮＯ）にはエミュレート画像作成手段２４がさらにエミュレート画像を作成して端末１１…１ｎに新たなエミュレート画像を送信する。
【００３９】
なお、エミュレート画像送信手段２４はエミュレート画像を送信するに際し、端末１１…１ｎによって入力された入力情報によって指示された情報の判定（マウスクリック位置による次動作の判定、キーストロークによる数値入力判定等）を行い、コンテンツデータベース２２から読み込むコンテンツデータを選択する。
【００４０】
例として、エミュレート画像に基づいて、「次ページ」の表示部分が端末１１…１ｎにおいてマウスクリックされた場合、そのクリックされた位置（座標）情報がサーバ２に送信される。エミュレート画像作成手段２４ではそのクリック位置に基づいて、次に送信するコンテンツデータ（画像ページ）を選択する。また、その選択されたコンテンツデータに関連する登録情報を登録情報データベース２３から読み出して、エミュレート画像を作成、端末１１…１ｎへ送信する。
【００４１】
図１１は、端末１１…１ｎをスポーツクラブに設置した場合におけるコンテンツデータベース２２と登録情報データベース２３との内部データの詳細の一例である。
【００４２】
また、図１３に本システムと銀行ＡＴＭシステムとの差異を、図１４に他システムと本システムとの差異を示す。
【図面の簡単な説明】
【００４３】
【図１】本発明に係る、本システムの全体構成図の一例である。
【図２】本発明に係る、他の全体構成図の一例である。
【図３】本発明に係る、他の全体構成図の一例である。
【図４】本発明に係る、他の全体構成図の一例である。
【図５】本発明に係る、他の全体構成図の一例である。
【図６】本発明に係る、他の全体構成図の一例である。
【図７】本発明に係る、他の全体構成図の一例である。
【図８】本発明に係る、端末の内部構成図の一例である。
【図９】本発明に係る、サーバの内部構成図の一例である。
【図１０】本発明に係る、本システムの流れを示すフローチャートの一例である。
【図１１】本発明に係る、コンテンツデータベースと登録情報データベースとの内部データの詳細の一例である。
【図１２】本発明に係る、ＴＣＯの低減効果についてを示す。
【図１３】本発明に係る、銀行ＡＴＭと本システムとの差異を示す。
【図１４】本発明に係る、他システムと本システムとの差異を示す。
【図１５】本発明に係る、従来のシステムを示す。
【符号の説明】
【００４４】
１            端末
２            サーバ
１１          エミュレート画像表示手段
１２          入力手段
１３          端末側送受信手段
２１          認証手段
２２          コンテンツデータベース
２３          登録情報データベース
２４          エミュレート画像作成手段
２５          作業領域作成手段
２６          登録情報記憶手段
２７          サーバ側送受信手段
【図１】
2006301694.tif 000003
【図２】
2006301694.tif 000004
【図３】
2006301694.tif 000005
【図４】
2006301694.tif 000006
【図５】
2006301694.tif 000007
【図６】
2006301694.tif 000008
【図７】
2006301694.tif 000009
【図８】
2006301694.tif 000010
【図９】
2006301694.tif 000011
【図１０】
2006301694.tif 000012
【図１１】
2006301694.tif 000013
【図１２】
2006301694.tif 000014
【図１３】
2006301694.tif 000015
【図１４】
2006301694.tif 000016
【図１５】
2006301694.tif 000017